(57)【要約】【課題】参加者がプレゼンテーションの資料における位置を指し示すことを容易にできるようにする。【解決手段】情報処理装置は、表示装置に時間の経過にしたがい順次表示される画像に基づいて、所定時間毎に該画像を取得し、該画像と取得した取得時刻情報とを紐付けて、記憶部に記憶する記憶処理部と、通信端末から送信される該通信端末によって画像が撮像されることで得られる第１画像にユーザが接触することで指し示した際に作成される該第１画像における指示位置情報、及び指示時刻情報を受信する受信部と、記憶部に記憶される複数の画像から、指示時刻情報に最も近い取得時刻情報に紐付けられる画像を取得する対応画像取得部と、指示位置情報に基づいて、対応画像取得部によって取得した画像に、ユーザにより指し示されたことを示す指示記号を合成する指示記号合成部と、指示記号が合成された第２画像を表示装置に送信する送信部とを有する。【選択図】図２
2016075775.tif 000002
【特許請求の範囲】
【請求項１】
表示装置と、該表示装置と接続される情報処理装置と、前記表示装置に表示される画像又は動画を表示できる通信端末とを備える情報処理システムであって、
前記通信端末は、
前記表示装置に表示される前記画像又は前記動画を撮像する撮像部と、
該撮像部によって撮像されることによって得られる第１の画像を表示する表示部と、
該表示部に表示した前記第１の画像にユーザが接触することによって指し示した際に、該第１の画像における接触した指示位置情報、及び指示時刻情報を作成する指示情報作成部と、
前記指示位置情報、及び前記指示時刻情報を前記情報処理装置に送信する送信部と
を有し、
前記情報処理装置は、
前記表示装置によって時間の経過にしたがって順次表示される前記画像又は前記動画に基づいて、所定の時間毎に該画像又は該動画に関する情報を取得し、該画像又は該動画に関する情報と、取得した取得時刻情報とを紐付けて、記憶部に記憶する画像記憶処理部と、
前記通信端末から送信される前記指示位置情報、及び前記指示時刻情報を受信する受信部と、
前記記憶部に記憶される複数の前記画像又は前記動画に関する情報から、前記指示時刻情報に最も近い取得時刻情報に紐付けられる対応画像又は対応動画に関する情報を、前記記憶部から取得する対応画像取得部と、
前記指示位置情報に基づいて、前記対応画像取得部によって取得した前記対応画像又は前記対応動画に関する情報によって得られる前記画像に、前記ユーザによって指し示されたことを示す指示記号を合成する指示記号合成部と、
前記指示記号合成部によって指示記号が合成された第２の画像を前記表示装置に送信する送信部と
を有し、
前記表示装置は、前記画像又は前記動画を表示するとともに、前記情報処理装置によって送信される前記指示記号が合成された前記第２の画像を表示する、情報処理システム。
【請求項２】
前記画像記憶処理部は、前記表示装置によって時間の経過にしたがって順次表示される前記画像又は前記動画に基づいて、所定の時間毎に第３の画像を取得し、該第３の画像と、取得した取得時刻情報とを紐付けて、前記記憶部に記憶する、請求項１に記載の情報処理システム。
【請求項３】
前記画像記憶処理部は、前記表示装置によって時間の経過にしたがって順次表示される前記画像又は前記動画に基づいて、所定の時間毎に該画像又は該動画に対して実行された操作情報を取得し、該操作情報と、取得した取得時刻情報とを紐付けて、前記記憶部に記憶し、
前記対応画像取得部は、前記記憶部に記憶される複数の前記操作情報から、前記指示時刻情報に最も近い取得時刻情報に紐付けられる対応操作情報を、前記記憶部から取得し、
前記指示記号合成部は、前記指示位置情報に基づいて、前記対応画像取得部によって取得した前記対応操作情報に基づいて得られる前記画像に、前記ユーザによって指し示されたことを示す前記指示記号を合成する、請求項１に記載の情報処理システム。
【請求項４】
前記表示装置は、該表示装置に設定されている時刻情報を表示し、
前記指示情報作成部は、前記時刻情報に基づいて、前記指示時刻情報を補正する、請求項１ないし３のいずれか１項に記載の情報処理システム。
【請求項５】
表示装置と接続される情報処理装置であって、
前記表示装置によって時間の経過にしたがって順次表示される画像又は動画に基づいて、所定の時間毎に該画像又は該動画に関する情報を取得し、該画像又は該動画に関する情報と、取得した取得時刻情報とを紐付けて、記憶部に記憶する画像記憶処理部と、
ユーザによって使用される通信端末から送信される、該通信端末によって前記画像又は前記動画が撮像されることによって得られる第１の画像に前記ユーザが接触することによって指し示した際に作成される該第１の画像における接触した指示位置情報、及び前記第１の画像に接触した指示時刻情報を受信する受信部と、
前記記憶部に記憶される複数の前記画像又は前記動画に関する情報から、前記指示時刻情報に最も近い取得時刻情報に紐付けられる対応画像又は対応動画に関する情報を、前記記憶部から取得する対応画像取得部と、
前記指示位置情報に基づいて、前記対応画像取得部によって取得した前記対応画像又は前記対応動画に関する情報によって得られる前記画像に、前記ユーザによって指し示されたことを示す指示記号を合成する指示記号合成部と、
前記指示記号合成部によって指示記号が合成された第２の画像を前記表示装置に送信する送信部と
を有する情報処理装置。
【請求項６】
表示装置と接続される情報処理装置によって実行される情報処理方法であって、
前記表示装置によって時間の経過にしたがって順次表示される画像又は動画に基づいて、所定の時間毎に該画像又は該動画に関する情報を取得し、該画像又は該動画に関する情報と、取得した取得時刻情報とを紐付けて、記憶部に記憶し、
ユーザによって使用される通信端末から送信される、該通信端末によって前記画像又は前記動画が撮像されることによって得られる第１の画像に前記ユーザが接触することによって指し示した際に作成される該第１の画像における接触した指示位置情報、及び前記第１の画像に接触した指示時刻情報を受信し、
前記記憶部に記憶される複数の前記画像又は前記動画に関する情報から、前記指示時刻情報に最も近い取得時刻情報に紐付けられる対応画像又は対応動画に関する情報を、前記記憶部から取得し、
前記指示位置情報に基づいて、前記対応画像又は前記対応動画に関する情報によって得られる前記画像に、前記ユーザによって指し示されたことを示す指示記号を合成し、
前記指示記号が合成された第２の画像を前記表示装置に送信する、情報処理方法。
【請求項７】
表示装置と接続される情報処理装置に、
前記表示装置によって時間の経過にしたがって順次表示される画像又は動画に基づいて、所定の時間毎に該画像又は該動画に関する情報を取得させ、
該画像又は該動画に関する情報と、取得した取得時刻情報とを紐付けて、記憶部に記憶させ、
ユーザによって使用される通信端末から送信される、該通信端末によって前記画像又は前記動画が撮像されることによって得られる第１の画像に前記ユーザが接触することによって指し示した際に作成される該第１の画像における接触した指示位置情報、及び前記第１の画像に接触した指示時刻情報を受信させ、
前記記憶部に記憶される複数の前記画像又は前記動画に関する情報から、前記指示時刻情報に最も近い取得時刻情報に紐付けられる対応画像又は対応動画に関する情報を、前記記憶部から取得させ、
前記指示位置情報に基づいて、前記対応画像又は前記対応動画に関する情報によって得られる前記画像に、前記ユーザによって指し示されたことを示す指示記号を合成させ、
前記指示記号が合成された第２の画像を前記表示装置に送信させる、プログラム。 
【発明の詳細な説明】
【技術分野】
【０００１】
本発明は、情報処理システムに関する。
【背景技術】
【０００２】
比較的大きな会場で、講習会・セミナ等のイベントが行われる場合、大きなスクリーンにプレゼンテーションの資料が投影され、壇上にいる発表者によってポインティング装置を用いてその投影された資料における位置が指し示される。
【０００３】
ポインティング装置により撮影された撮像画像を用いて、ポインティングする位置を決める情報を取得し、ポインタマークを表示する技術が知られている（例えば、特許文献１参照）。
【発明の概要】
【発明が解決しようとする課題】
【０００４】
イベントの参加者の指定にしたがって、スクリーンに投影されたプレゼンテーションの資料における位置を指し示すことを考える。
【０００５】
レーザポインタを用いる場合には、その光は目に害が有り、電池が切れる心配もある。さらに、参加者が多い場合に、全員に配布するには多くのレーザポインタが必要である。
【０００６】
また、参加者が発表者にプレゼンテーションの資料における指し示した位置を口頭で伝えるのは効率的ではなく難しい。
【０００７】
そこで、本発明は、参加者がプレゼンテーションの資料における位置を指し示すことを容易できるようにすることを目的とする。
【課題を解決するための手段】
【０００８】
開示の一実施例の情報処理システムは、
表示装置と、該表示装置と接続される情報処理装置と、前記表示装置に表示される画像又は動画を表示できる通信端末とを備える情報処理システムであって、
前記通信端末は、
前記表示装置に表示される前記画像又は前記動画を撮像する撮像部と、
該撮像部によって撮像されることによって得られる第１の画像を表示する表示部と、
該表示部に表示した前記第１の画像にユーザが接触することによって指し示した際に、該第１の画像における接触した指示位置情報、及び指示時刻情報を作成する指示情報作成部と、
前記指示位置情報、及び前記指示時刻情報を前記情報処理装置に送信する送信部と
を有し、
前記情報処理装置は、
前記表示装置によって時間の経過にしたがって順次表示される前記画像又は前記動画に基づいて、所定の時間毎に該画像又は該動画に関する情報を取得し、該画像又は該動画に関する情報と、取得した取得時刻情報とを紐付けて、記憶部に記憶する画像記憶処理部と、
前記通信端末から送信される前記指示位置情報、及び前記指示時刻情報を受信する受信部と、
前記記憶部に記憶される複数の前記画像又は前記動画に関する情報から、前記指示時刻情報に最も近い取得時刻情報に紐付けられる対応画像又は対応動画に関する情報を、前記記憶部から取得する対応画像取得部と、
前記指示位置情報に基づいて、前記対応画像取得部によって取得した前記対応画像又は前記対応動画に関する情報によって得られる前記画像に、前記ユーザによって指し示されたことを示す指示記号を合成する指示記号合成部と、
前記指示記号合成部によって指示記号が合成された第２の画像を前記表示装置に送信する送信部と
を有し、
前記表示装置は、前記画像又は前記動画を表示するとともに、前記情報処理装置によって送信される前記指示記号が合成された前記第２の画像を表示する、情報処理システム。
【発明の効果】
【０００９】
開示の実施例によれば、参加者がプレゼンテーションの資料における位置を指し示すことを容易にできるようにすることができる。
【図面の簡単な説明】
【００１０】
【図１】情報処理システムの一実施例を示す図である。
【図２】第１の通信端末、第２の通信端末、サーバ、及びプロジェクタシステムのハードウェア構成の一実施例を示す図である。
【図３】端末情報の一例を示す図である。
【図４】第１の通信端末の一実施例を示す機能ブロック図である。
【図５】第２の通信端末の一実施例を示す機能ブロック図である。
【図６】サーバの一実施例を示す機能ブロック図である。
【図７】ＰＣの一実施例を示す機能ブロック図である。
【図８】情報処理システムの動作の一実施例（その１）を示すシーケンスチャートである。
【図９】情報処理システムの動作の一実施例（その２）を示すシーケンスチャートである。
【図１０】サーバの一変形例を示す機能ブロック図である。
【図１１】ＰＣの一変形例を示す機能ブロック図である。
【図１２】情報処理システムの動作の一変形例（その１）を示すシーケンスチャートである。
【図１３】情報処理システムの動作の一変形例（その２）を示すシーケンスチャートである。
【発明を実施するための形態】
【００１１】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１２】
＜実施例＞
＜情報処理システム＞
図１は、情報処理システムの一例としての無線ネットワークプロジェクタシステムの一実施例を示す。
【００１３】
無線ネットワークプロジェクタシステムは、第１の通信端末１００と、第２の通信端末２００と、ＰＣ３００と、プロジェクタ（投影装置）４００と、サーバ６００とを備える。ＰＣ３００、及びプロジェクタ４００によってプロジェクタシステムが構成される。
【００１４】
第１の通信端末１００と、第２の通信端末２００と、ＰＣ３００と、サーバ６００との間は、インターネット等の通信網５０を介して接続される。図１には、２台の通信端末が示されているが、通信端末の数は１台とすることもできるし、３台以上とすることもできる。
【００１５】
第１の通信端末１００、及び第２の通信端末２００は、通信網５０と有線又は無線によって接続され、プロジェクタ４００によってスクリーンに投影されたプレゼンテーションの資料等の画像又は動画を撮像することによって表示する。第１の通信端末１００、及び第２の通信端末２００は、携帯端末、携帯電話、スマートフォン、タブレット端末、ノートＰＣ等の無線通信装置を適用できる。ユーザは、第１の通信端末１００、及び第２の通信端末２００に表示された画像又は動画に接触することによって該画像又は動画における位置を指し示すことができる。ユーザが第１の通信端末１００、及び第２の通信端末２００に表示した画像又は動画における位置を指し示すことによって、その指し示した位置情報（以下、「指示位置情報」という）とともに、指し示した時刻情報（以下、「指示時刻情報」という）を含む指示情報がサーバ６００に送信される。
【００１６】
サーバ６００は、通信網５０と有線又は無線によって接続され、プロジェクタ４００によってスクリーンに時間の経過にしたがって順次投影されることによって表示される画像又は動画を、ＰＣ３００から定期又は不定期に取得し、その画像又は動画を、取得したタイムスタンプ等の時刻情報と紐づけることによって対応付けて記憶する。また、サーバ６００は、第１の通信端末１００又は第２の通信端末２００から送信される指示情報に含まれる指示位置情報、及び指示時刻情報に基づいて、記憶している画像又は動画から指示時刻情報に対応する画像を取得する。そして、サーバ６００は、指示位置情報に基づいて、その対応する画像における位置に指示記号（ポインタマーク）をスーパーインポーズ等の画像処理によって指し示すように合成表示した画像（以下、「指示画像」という）を作成し、その指示画像をＰＣ３００に送信する。
【００１７】
ＰＣ３００は、通信網５０と有線又は無線によって接続され、プロジェクタ４００に表示するプレゼンテーションの資料等の画像又は動画を入力するとともに、サーバ６００に、その画像又は動画と同じ画像又は動画を定期又は不定期に入力する。また、ＰＣ３００は、サーバ６００によって送信された指示画像を、プロジェクタ４００に入力する。
【００１８】
プロジェクタ４００は、ＰＣ３００から入力される画像又は動画を投影することによって表示する。また、プロジェクタ４００は、ＰＣ３００から入力される指示画像を投影することによって表示する。
【００１９】
これによって、無線ネットワークプロジェクタシステムの一実施例では、第１の通信端末１００、及び第２の通信端末２００に表示された画像又は動画に接触することによって該動画又は画像おける位置を指し示すことによって、間接的にプロジェクタ４００によって投影される画像又は動画における同様の位置を指し示すことができる。
【００２０】
以下、第１の通信端末１００、第２の通信端末２００、サーバ６００、ＰＣ３００、及びプロジェクタ４００について具体的に説明する。
【００２１】
図２は、無線ネットワークプロジェクタシステムの一実施例を示す。
【００２２】
図２には、第１の通信端末１００、第２の通信端末２００、サーバ６００、ＰＣ３００、及びプロジェクタ４００の主にハードウェア構成が示される。
【００２３】
＜第１の通信端末１００＞
第１の通信端末１００は、通信部１０２と、表示部１０４と、システム制御ユニット１０６と、記憶部１０８と、撮像部１１０とを備える。
【００２４】
通信部１０２は、無線通信技術による無線通信機能を備え、サーバ６００へ、指示位置情報、及び指示時刻情報を付帯した指示情報を無線送信する。例えば、通信部１０２は、電子メールに指示情報を添付して送信することができる。
【００２５】
表示部１０４は、撮像部１１０によって撮像された画像又は動画を表示するディスプレイである。表示部１０４はタッチパネルによって構成され、表示部１０４に画像又は動画が表示されている状態でタッチ（接触）することによって操作を行うことができる。これによって、該画像又は動画における指し示したい位置を指定できる。
【００２６】
システム制御ユニット１０６は、通信部１０２、及び表示部１０４と接続される。システム制御ユニット１０６は、第１の通信端末１００を制御する。システム制御ユニット１０６は、ＣＰＵなどの演算処理装置により実現される。
【００２７】
記憶部１０８は、システム制御ユニット１０６と接続される。記憶部１０８は、第１の通信端末１００の端末情報を格納する。第１の通信端末１００、及び第２の通信端末２００は、指示情報に端末情報を付帯して送信する。これによって、サーバ６００は第１の通信端末１００、及び第２の通信端末２００を識別できる。また、記憶部１０８は、第１の通信端末１００を動作させるための各種プログラムを格納する。
【００２８】
図３は、記憶部１０８に格納される端末情報の一例を示す。
【００２９】
端末情報は、識別情報、及び種別情報である。識別情報は、第１の通信端末１００に固有の情報である。種別情報は、第１の通信端末１００を有するものの種類を示す情報である。例えば、第１の通信端末１００をユーザが有する場合には種別はユーザとされる。
【００３０】
図３に示される例では、識別情報として「ｒｒｔｓ」が格納され、種別情報として「ユーザ」が格納される。識別情報の一例は、第１の通信端末１００のＭＡＣアドレスである。ＭＡＣアドレスに限らず第１の通信端末１００を識別できる情報であれば、ＭＡＣアドレス以外の情報であってもよい。種別の一例は、識別情報が第１の通信端末１００からのものであるか第２の通信端末２００からのものであるかを識別するためのものである。サーバ６００において、識別情報により第１の通信端末１００と第２の通信端末２００とを識別できる場合には、種別は必要ない。
【００３１】
図２に戻り説明を続ける。撮像部１１０は、プロジェクタ４００によってスクリーンに投影されている画像又は動画を撮像する。
【００３２】
＜第１の通信端末１００の機能＞
図４は、第１の通信端末１００の機能の一実施例を示す。
【００３３】
図４の機能ブロック図により表される機能は、主に、システム制御ユニット１０６により実行される。システム制御ユニット１０６の演算処理装置は、画像処理部１５２、指示位置情報作成部１５４、指示時刻情報作成部１５６、及び指示情報作成部１５８として機能する。
【００３４】
演算処理装置は、演算処理装置の内部に記憶されたアプリケーションプログラム（ファームウェア）、あるいは演算処理装置の外部に設けられた記憶部１０８に記憶されるアプリケーションプログラムに従って、画像処理部１５２、指示位置情報作成部１５４、指示時刻情報作成部１５６、及び指示情報作成部１５８としての機能を実行する。
【００３５】
画像処理部１５２は、撮像部１１０によって撮像された画像を表示部１０４に表示する処理を行う。
【００３６】
指示位置情報作成部１５４は、画像処理部１５２によって表示部１０４に表示された画像に接触することによって該画像における位置をユーザが指し示した際に、その指し示した位置情報（指示位置情報）を作成し、指示情報作成部１５８へ入力する。位置情報は、表示部１０４に所定の座標系を当てはめることによって、その座標として表すことができる。つまり、位置情報は、表示部１０４の外枠のサイズを表す情報と、そのサイズに対して所定の座標系を当てはめた場合の指し示した部分の座標情報が含まれる。また、位置情報は、表示部１０４に表示されている画像に所定の座標系を当てはめることによって、その座標系によって表すこともできる。つまり、位置情報は、表示部１０４に表示されている画像の外枠のサイズを表す情報と、そのサイズに対して所定の座標系を当てはめた場合の指し示した部分の座標情報が含まれる。
【００３７】
指示時刻情報作成部１５６は、画像処理部１５２によって表示部１０４に表示された画像に接触することによって、該画像における位置をユーザが指し示した際に、その指し示した時刻情報（指示時刻情報）を作成し、指示情報作成部１５８へ入力する。
【００３８】
指示情報作成部１５８は、指示位置情報作成部１５４によって入力された指示位置情報、及び指示時刻情報作成部１５６によって入力された指示時刻情報を含む指示情報を作成し、通信部１０２に入力する。
【００３９】
図２に戻り説明を続ける。
【００４０】
＜第２の通信端末２００＞
第２の通信端末２００は、通信部２０２と、表示部２０４と、システム制御ユニット２０６と、記憶部２０８と、撮像部２１０とを備える。
【００４１】
通信部２０２は、無線通信技術による無線通信機能を備え、サーバ６００へ、指示位置情報、及び指示時刻情報を付帯した指示情報を無線送信する。例えば、通信部２０２は、電子メールに指示情報を添付して送信することができる。
【００４２】
表示部２０４は、撮像部２１０によって撮像された画像又は動画を表示するディスプレイである。表示部２０４はタッチパネルによって構成され、表示部２０４に画像又は動画を表示されている状態で接触することによって操作を行うことができる。これによって、該画像又は動画における指し示したい位置を指定できる。
【００４３】
システム制御ユニット２０６は、通信部２０２、及び表示部２０４と接続される。システム制御ユニット２０６は、第２の通信端末２００を制御する。システム制御ユニット２０６は、ＣＰＵなどの演算処理装置により実現される。
【００４４】
記憶部２０８は、システム制御ユニット２０６と接続される。記憶部２０８は、第２の通信端末２００の端末情報を格納する。第１の通信端末１００、及び第２の通信端末２００は、指示情報に端末情報を付帯して送信する。これによって、サーバ６００は第１の通信端末１００、及び第２の通信端末２００を識別できる。また、記憶部２０８は、第２の通信端末２００を動作させるための各種プログラムを格納する。
【００４５】
記憶部２０８に格納される端末情報の一例は、図３を適用できる。
【００４６】
撮像部２１０は、プロジェクタ４００によってスクリーンに投影されている画像又は動画を撮像する。
【００４７】
＜第２の通信端末２００の機能＞
図５は、第２の通信端末２００の機能の一実施例を示す。
【００４８】
図５の機能ブロック図により表される機能は、主に、システム制御ユニット２０６により実行される。システム制御ユニット２０６の演算処理装置は、画像処理部２５２、指示位置情報作成部２５４、指示時刻情報作成部２５６、及び指示情報作成部２５８として機能する。
【００４９】
演算処理装置は、演算処理装置の内部に記憶されたアプリケーションプログラム（ファームウェア）、あるいは演算処理装置の外部に設けられた記憶部２０８に記憶されるアプリケーションプログラムに従って、画像処理部２５２、指示位置情報作成部２５４、指示時刻情報作成部２５６、及び指示情報作成部２５８としての機能を実行する。
【００５０】
画像処理部２５２は、撮像部２１０によって撮像された画像を表示部２０４に表示する処理を行う。
【００５１】
指示位置情報作成部２５４は、画像処理部２５２によって表示部２０４に表示された画像に接触することによって該画像における位置をユーザが指し示した際に、その指し示した位置情報（指示位置情報）を作成し、指示情報作成部２５８へ入力する。位置情報は、表示部２０４に所定の座標系を当てはめることによって、その座標として表すことができる。つまり、位置情報は、表示部２０４の外枠のサイズを表す情報と、そのサイズに対して所定の座標系を当てはめた場合の指し示した部分の座標情報が含まれる。また、位置情報は、表示部２０４に表示されている画像に所定の座標系を当てはめることによって、その座標系によって表すこともできる。つまり、位置情報は、表示部２０４に表示されている画像の外枠のサイズを表す情報と、そのサイズに対して所定の座標系を当てはめた場合の指し示した部分の座標情報が含まれる。
【００５２】
指示時刻情報作成部２５６は、画像処理部２５２によって表示部２０４に表示された画像に接触することによって、該画像における位置をユーザが指し示した際に、その指し示した時刻情報（指示時刻情報）を作成し、指示情報作成部２５８へ入力する。
【００５３】
指示情報作成部２５８は、指示位置情報作成部２５４によって入力された指示位置情報、及び指示時刻情報作成部２５６によって入力された指示時刻情報を含む指示情報を作成し、通信部２０２に入力する。
【００５４】
図２に戻り説明を続ける。
【００５５】
＜サーバ６００＞
サーバ６００は、ネットワークI/Fユニット６０２と、システム制御ユニット６０４と、記憶部６０６とを備える。
【００５６】
ネットワークI/Fユニット６０２は、通信網５０との間のI/Fであり、通信網５０を介して、ＰＣ３００との間で通信を行う。ネットワークI/Fユニット６０２と、通信網５０との間は、有線接続されてもよいし、無線接続されてもよい。
【００５７】
システム制御ユニット６０４は、ネットワークI/Fユニット６０２と接続される。システム制御ユニット６０４は、サーバ６００を制御する。システム制御ユニット６０４は、ＣＰＵなどの演算処理装置により実現される。
【００５８】
記憶部６０６は、システム制御ユニット６０４と接続される。記憶部６０６は、ＰＣ３００から取得した画像又は動画を、取得した時刻と紐づけることによって対応付けて記憶する。また、記憶部６０６は、サーバ６００を動作させるための各種プログラムを格納する。
【００５９】
＜サーバ６００の機能＞
図６は、サーバ６００の機能の一実施例を示す。図６の機能ブロック図により表される機能は、主に、システム制御ユニット６０４により実行される。システム制御ユニット６０４の演算処理装置は、画像取得部６５２、画像記憶処理部６５４、指示情報取得部６５６、対応画像取得部６５８、及び指示記号合成部６６０として機能する。
【００６０】
演算処理装置は、演算処理装置の内部に記憶されたアプリケーションプログラム（ファームウェア）、あるいは演算処理装置の外部に設けられた記憶部６０６に記憶されるアプリケーションプログラムに従って、画像取得部６５２、画像記憶処理部６５４、指示情報取得部６５６、対応画像取得部６５８、及び指示記号合成部６６０としての機能を実行する。
【００６１】
画像取得部６５２は、ネットワークI/Fユニット６０２により定期又は不定期に受信されるＰＣ３００によって送信される画像又は動画等の画像又は動画に関する情報を取得し、画像記憶処理部６５４に入力する。
【００６２】
画像記憶処理部６５４は、画像取得部６５２によって入力される画像又は動画に関する情報と時刻情報とを紐づけることによって対応づけて、記憶部６０６に入力する。
【００６３】
指示情報取得部６５６は、第１の通信端末１００、及び第２の通信端末２００によって送信される指示情報を取得し、その指示情報に付帯される指示時刻情報を対応画像取得部６５８に入力するとともに、指示位置情報を指示記号合成部６６０に入力する。
【００６４】
対応画像取得部６５８は、指示情報取得部６５６によって入力される指示時刻情報と、記憶部６０６に記憶されている画像又は動画に関する情報と紐付けられる時刻情報とを比較し、指示時刻情報に最も近い時刻情報と紐付けられる画像又は動画に関する情報を取得し、指示記号合成部６６０に入力する。
【００６５】
指示記号合成部６６０は、指示情報取得部６５６によって入力される指示位置情報に基づいて、対応画像取得部６５８によって入力される画像又は動画に関する情報に基づいて得られる画像の指示位置情報によって示される位置に指示記号を合成し、ネットワークＩ/Ｆユニット６０２を介して、ＰＣ３００へ送信する。
【００６６】
図２に戻り説明を続ける。
【００６７】
＜ＰＣ３００＞
ＰＣ３００は、ネットワークI/Fユニット３０２と、システム制御ユニット３０４と、記憶部３０６と、Ｉ/Ｆ３０８とを備える。
【００６８】
ネットワークI/Fユニット３０２は、通信網５０との間のI/Fであり、通信網５０を介して、サーバ６００との間で通信を行う。ネットワークI/Fユニット３０２と、通信網５０との間は、有線接続されてもよいし、無線接続されてもよい。
【００６９】
システム制御ユニット３０４は、ネットワークI/Fユニット３０２と接続される。システム制御ユニット３０４は、サーバ６００を制御する。システム制御ユニット３０４は、ＣＰＵなどの演算処理装置により実現される。
【００７０】
記憶部３０６は、システム制御ユニット３０４と接続される。記憶部３０６は、プロジェクタ４００に入力する画像又は動画を記憶する。また、記憶部３０６は、ＰＣ３００を動作させるための各種プログラムを格納する。
【００７１】
＜ＰＣ３００の機能＞
図７は、ＰＣ３００の機能の一実施例を示す。図７の機能ブロック図により表される機能は、主に、システム制御ユニット３０４により実行される。システム制御ユニット３０４の演算処理装置は、画像処理部３５２、及び画像取得部３５４として機能する。
【００７２】
演算処理装置は、演算処理装置の内部に記憶されたアプリケーションプログラム（ファームウェア）、あるいは演算処理装置の外部に設けられた記憶部３０６に記憶されるアプリケーションプログラムに従って、画像処理部３５２、及び画像取得部３５４としての機能を実行する。
【００７３】
画像処理部３５２は、記憶部３０６に記憶された画像又は動画データを取得し、Ｉ／Ｆ３０８に入力する。また、画像処理部３５２は、サーバ６００によって送信される指示画像をI/F３０８を介して、プロジェクタ４００に入力する。
【００７４】
画像取得部３５４は、定期又は不定期に、画像処理部３５２からＩ／Ｆ３０８に入力される画像又は動画を取得し、ネットワークＩ／Ｆユニット３０２に入力する。
【００７５】
図２に戻り説明を続ける。
【００７６】
＜プロジェクタ４００＞
プロジェクタ４００は、信号処理ユニット４０２と、システム制御ユニット４０４と、光学部４０６と、ランプ４０８とを有する。
【００７７】
信号処理ユニット４０２は、ＰＣ３００から入力される画像又は動画に対して信号処理を行い、システム制御ユニット４０４に入力する。
【００７８】
システム制御ユニット４０４は、プロジェクタ４００を制御する。システム制御ユニット４０４は、CPUなどの演算処理装置により実現される。システム制御ユニット４０４は、信号処理ユニット４０２によって入力される画像又は動画を光学部４０６に入力する。
【００７９】
光学部４０６は、スクリーンに投影する画像又は動画を投射する。光学部４０６の一例は、プロジェクタ４００が液晶プロジェクタである場合には液晶、DLP(Digital Light Processing) プロジェクタである場合にはDMD(Digital Mirror Device)やカラーホイールである。
【００８０】
ランプ４０８は、システム制御ユニット４０４によって設定されるパワーで動作する。
【００８１】
＜通信システムの動作＞
図８は、無線ネットワークプロジェクタシステムの動作（その１）の一実施例を示す。図８に示される図では、ＰＣ３００によって送信される画像又は動画を、サーバ６００が取得する処理が示される。例えば、図８に示される処理は、スクリーンにプレゼンテーションの資料等の画像又は動画が投影され、壇上にいる発表者によって、プレゼンテーションが行われている間に実行される。
【００８２】
ステップＳ８０２では、ＰＣ３００の画像取得部３５４は、定期又は不定期に、ＰＣ３００からプロジェクタ４００に入力される画像又は動画等の画像又は動画に関する情報を取得し、ネットワークＩ／Ｆユニット３０２を介して、サーバ６００に送信する。
【００８３】
ステップＳ８０４では、サーバ６００の画像記憶処理部６５４は、ＰＣ３００によって送信された画像又は動画を時刻情報と紐付けることによって対応付けて、記憶部６０６に記憶する。
【００８４】
ステップＳ８０６では、ＰＣ３００の画像取得部３５４は、定期又は不定期に、ＰＣ３００からプロジェクタ４００に入力される画像又は動画を取得し、ネットワークＩ／Ｆユニット３０２を介して、サーバ６００に送信する。
【００８５】
ステップＳ８０８では、サーバ６００の画像記憶処理部６５４は、ＰＣ３００によって送信された画像又は動画を時刻情報と紐付けることによって対応付けて、記憶部６０６に記憶する。
【００８６】
発表者によって発表されている間、ステップＳ８０２−Ｓ８０４の動作が継続される。これによって、サーバ６００は、画像又は動画に関する情報を時刻情報と紐付けることによって対応付けて記憶することができる。
【００８７】
図９は、無線ネットワークプロジェクタシステムの動作（その２）の一実施例を示す。図９に示される図は、発表中に、ユーザが第１の通信端末１００、及び第２の通信端末２００を操作することによって実行される処理と、発表後にサーバ６００、ＰＣ３００、及びプロジェクタ４００によって実行される処理を示す。
【００８８】
ステップＳ９０２では、第１の通信端末１００の撮像部１１０は、ユーザの操作によってスクリーンに表示されている画像又は動画を撮像する。
【００８９】
ステップＳ９０４では、ユーザによって表示部１０４に表示された画像又は動画に接触されたことによって、第１の通信端末１００の指示位置情報作成部１５４は指示位置情報を作成し、指示時刻情報作成部１５６は指示時刻情報を作成する。
【００９０】
ステップＳ９０６では、第１の通信端末１００の指示情報作成部１５８は、指示位置情報、及び指示時刻情報を付帯した第１の指示情報を作成する。
【００９１】
ステップＳ９０８では、第１の通信端末１００の通信部１０２は、サーバ６００に第１の指示情報を送信する。
【００９２】
ステップＳ９１０では、第２の通信端末２００の撮像部２１０は、ユーザの操作によってスクリーンに表示されている画像又は動画を撮像する。
【００９３】
ステップＳ９１２では、ユーザによって表示部２０４に表示された画像又は動画に接触されたことによって、第２の通信端末２００の指示位置情報作成部２５４は指示位置情報を作成し、指示時刻情報作成部２５６は指示時刻情報を作成する。
【００９４】
ステップＳ９１４では、第２の通信端末２００の指示情報作成部２５８は、指示位置情報、及び指示時刻情報を付帯した第２の指示情報を作成する。
【００９５】
ステップＳ９１６では、第２の通信端末２００の通信部２０２は、サーバ６００に第２の指示情報を送信する。
【００９６】
この時点で、発表者によるプレゼンテーションが終了する。
【００９７】
ステップＳ９１８では、サーバ６００の指示情報取得部６５６は、第１の通信端末１００によって送信された第１の指示情報、及び第２の通信端末２００によって送信された第２の指示情報を取得する。
【００９８】
ステップＳ９２０では、サーバ６００の指示情報取得部６５６は、第１の指示情報、及び第２の指示情報のいずれか一方を選択する。例えば、発表者に選択させることができるし、サーバ６００で無作為に選択させることもできる。ここでは、第１の指示情報が選択される場合について説明を続ける。第１の指示情報が選択される場合についても適用できる。
【００９９】
ステップＳ９２２では、サーバ６００の対応画像取得部６５８は、第１の指示情報に付帯される指示時刻情報に対応する画像を記憶部６０６から取得する。
【０１００】
ステップＳ９２４では、サーバ６００の指示記号合成部６６０は、第１の指示情報に付帯される指示位置情報に基づいて、取得した画像に指示記号を合成した指示画像を作成する。
【０１０１】
ステップＳ９２６では、サーバ６００のネットワークＩ／Ｆユニット６０２は、指示画像をＰＣ３００に送信する。
【０１０２】
ステップＳ９２８では、ＰＣ３００の画像処理部３５２は、サーバ６００によって送信される指示画像をプロジェクタ４００に送信する。
【０１０３】
ステップＳ９３０では、プロジェクタ４００は、ＰＣ３００によって送信される指示画像をスクリーンに投影する。
【０１０４】
図９に示されるシーケンスチャートの順序と異なる順序で動作させることも可能である。例えば、ステップＳ９０２−Ｓ９０８と、ステップＳ９１０−Ｓ９１６とを入れ替えることができる。
【０１０５】
上述した実施例において、第１の通信端末１００、及び第２の通信端末２００に表示された画像又は動画の接触した位置に応じて、ページめくりやアンケートに対する回答に対応させることもできる。
【０１０６】
また、第１の通信端末１００の撮像部１１０、及び第２の通信端末２００の撮像部２１０で撮像する画像又は動画は、会場のスクリーンに投影されたものであるのが基本であるが、遠隔のディスプレイに表示されている画像又は動画とすることもできる。
【０１０７】
また、仮にスマートフォンにプレゼンテーションの資料を読み込んで、そのプレゼンテーションの資料を操作するようにした場合、ＰＤＦ(Portable Document Format)形式のような単純な資料であればよいが、アニメーションが含まれていたり、ＣＡＤ(computer aided design)データのような特殊なデータを扱ったりする場合、スマートフォンでは、正しく再生できないおそれがある。
【０１０８】
また、仮に、スマートフォンから、プロジェクターシステム上のプレゼン資料に対して遠隔操作をするようにした場合、スマートフォンに、リモートデスクトップのようなアプリケーションが必要である。さらに、不特定多数の参加者に遠隔操作を許すためには、プロジェクターシステムに高い処理能力が求められる他、セキュリティ上のリスクもある。
【０１０９】
無線ネットワークプロジェクタシステムの一実施例によれば、プレゼンテーション中に、プロジェクターシステムによって投影されている画像とタイムスタンプを、サーバで記録することができる。また、スマートフォン等の通信端末から送信されるタイムスタンプと、サーバによって記録したタイムスタンプとを照合し、一致する画像を選択することができる。さらに、選択した画像を表示し、通信端末から送信された座標に、ポインターマークを投影することができる。これにより、スマートフォンから、画像データを送信することなく、選択した画像にポインターマークを投影することができる。
【０１１０】
＜変形例＞
無線ネットワークプロジェクタシステムの一変形例では、サーバ６００は、プロジェクタ４００によってスクリーンに投影されている画像又は動画に対して実行されたページめくりやボタンのクリック等の操作情報等の画像又は動画に関する情報を、ＰＣ３００から定期又は不定期に取得し、その操作情報を、取得した時刻情報と紐づけることによって対応付けて記憶する。また、サーバ６００は、第１の通信端末１００又は第２の通信端末２００から送信される指示情報に含まれる指示位置情報、及び指示時刻情報に基づいて、記憶している操作情報から指示時刻情報に対応する操作情報を取得する。そして、サーバ６００は、指示位置情報に基づいて、その対応する操作によって表示される画像における位置に指示記号（ポインタマーク）をスーパーインポーズ等の画像処理によって指し示すように合成表示した指示画像を作成し、その指示画像をＰＣ３００に送信する。
【０１１１】
画像又は動画を取得した時刻と紐づけることによって対応付けて記憶する代わりに、操作情報を取得した時刻と紐づけることによって対応付けて記憶することによって、画像を記憶するよりも情報量を少なくできる。これによって、サーバ６００の記憶部６０６の記憶容量を低減できる。
【０１１２】
無線ネットワークプロジェクタシステムの一変形例は、図１、及び図２を適用できる。
【０１１３】
第１の通信端末１００、及び第２の通信端末２００の機能は、図４、及び図５を適用できる。
【０１１４】
＜サーバ６００の機能＞
図１０は、サーバ６００の機能の一実施例を示す。図１０の機能ブロック図により表される機能は、主に、システム制御ユニット６０４により実行される。システム制御ユニット６０４の演算処理装置は、操作情報取得部６６２、操作情報記憶処理部６６４、指示情報取得部６６６、対応操作情報取得部６６８、及び指示記号合成部６７０として機能する。
【０１１５】
演算処理装置は、演算処理装置の内部に記憶されたアプリケーションプログラム（ファームウェア）、あるいは演算処理装置の外部に設けられた記憶部６０６に記憶されるアプリケーションプログラムに従って、操作情報取得部６６２、操作情報記憶処理部６６４、指示情報取得部６６６、対応操作情報取得部６６８、及び指示記号合成部６７０としての機能を実行する。
【０１１６】
操作情報取得部６６２は、ネットワークI/Fユニット６０２により定期又は不定期に受信されるＰＣ３００によって送信される操作情報を取得し、操作情報記憶処理部６６４に入力する。
【０１１７】
操作情報記憶処理部６６４は、操作情報取得部６６２によって入力される操作情報と時刻情報とを紐づけることによって対応づけて、記憶部６０６に入力する。
【０１１８】
指示情報取得部６６６は、第１の通信端末１００、及び第２の通信端末２００によって送信される指示情報を収録し、その指示情報に付帯される指示時刻情報を対応操作情報取得部６６８に入力するとともに、指示位置情報を指示記号合成部６７０に入力する。
【０１１９】
対応操作情報取得部６６８は、指示情報取得部６６６によって入力される指示時刻情報と、記憶部６０６に記憶されている操作情報と紐付けられる時刻情報とを比較し、指示時刻情報に最も近い時刻情報と紐付けられる操作情報を取得し、指示記号合成部６７０に入力する。
【０１２０】
指示記号合成部６７０は、指示情報取得部６６６によって入力される指示位置情報に基づいて、対応操作情報取得部６６８によって入力される操作情報に基づいて操作されることによって表示される画像における指示位置情報によって示される位置に指示記号を合成し、ネットワークＩ/Ｆユニット６０２を介して、ＰＣ３００へ送信する。
【０１２１】
＜ＰＣ３００の機能＞
図１１は、ＰＣ３００の機能の一実施例を示す。図１１の機能ブロック図により表される機能は、主に、システム制御ユニット３０４により実行される。システム制御ユニット３０４の演算処理装置は、画像処理部３６２、及び操作情報取得部３６４として機能する。
【０１２２】
演算処理装置は、演算処理装置の内部に記憶されたアプリケーションプログラム（ファームウェア）、あるいは演算処理装置の外部に設けられた記憶部３０６に記憶されるアプリケーションプログラムに従って、画像処理部３６２、及び操作情報取得部３６４としての機能を実行する。
【０１２３】
画像処理部３６２は、記憶部３０６に記憶された画像又は動画データを取得し、Ｉ／Ｆ３０８に入力する。
【０１２４】
操作情報取得部３６４は、定期又は不定期に、画像処理部３６２からＩ／Ｆ３０８に入力される画像又は動画に対して実行された操作情報を取得し、ネットワークＩ／Ｆユニット３０２に入力する。
【０１２５】
＜通信システムの動作＞
図１２は、無線ネットワークプロジェクタシステムの動作（その１）の一変形例を示す。図１２に示される図では、ＰＣ３００によって送信される操作情報を、サーバ６００が取得する処理が示される。例えば、図１２に示される処理は、スクリーンにプレゼンテーションの資料等の画像又は動画が投影され、壇上にいる発表者によって、発表されている間に実行される。
【０１２６】
ステップＳ１２０２では、ＰＣ３００の操作情報取得部３６４は、定期又は不定期に、ＰＣ３００からプロジェクタ４００に入力される操作情報を取得し、ネットワークＩ／Ｆユニット３０２を介して、サーバ６００に送信する。
【０１２７】
ステップＳ１２０４では、サーバ６００の操作情報記憶処理部６６４は、ＰＣ３００によって送信された操作情報を時刻情報と紐付けることによって対応付けて、記憶部６０６に記憶する。
【０１２８】
ステップＳ１２０６では、ＰＣ３００の操作情報取得部３６４は、定期又は不定期に、ＰＣ３００からプロジェクタ４００に入力される操作情報を取得し、ネットワークＩ／Ｆユニット３０２を介して、サーバ６００に送信する。
【０１２９】
ステップＳ１２０８では、サーバ６００の操作情報記憶処理部６６４は、ＰＣ３００によって送信された操作情報を時刻情報と紐付けることによって対応付けて、記憶部６０６に記憶する。
【０１３０】
発表者によって、プレゼンテーションが行われている間、ステップＳ１２０２−Ｓ１２０４の動作が継続される。
【０１３１】
図１３は、無線ネットワークプロジェクタシステムの動作（その２）の一変形例を示す。図１３に示される図は、発表中に、ユーザが第１の通信端末１００、及び第２の通信端末２００を操作することによって実行される処理と、発表後にサーバ６００、ＰＣ３００、及びプロジェクタ４００によって実行される処理を示す。
【０１３２】
ステップＳ１３０２−Ｓ１３２０は、図９のステップＳ９０２−Ｓ９２０を適用できる。
【０１３３】
ステップＳ１３２２では、サーバ６００の対応操作情報取得部６６８は、第１の指示情報に付帯される指示時刻情報に対応する操作情報を記憶部６０６から取得する。
【０１３４】
ステップＳ１３２４では、サーバ６００の指示記号合成部６７０は、第１指示情報に付帯される指示位置情報に基づいて、取得した操作情報にしたがって操作することによって表示される画像に指示記号を合成した指示画像を作成する。
【０１３５】
ステップＳ１３２６−Ｓ１３３０は、図９のステップＳ９２６−Ｓ９３０を適用できる。
【０１３６】
無線ネットワークプロジェクタシステムの一実施例によれば、プレゼンテーション中に、プロジェクターシステムによって投影されている画像に対する操作とタイムスタンプを、サーバで記録することができる。また、スマートフォン等の通信端末から送信されるタイムスタンプと、サーバによって記録したタイムスタンプとを照合し、一致する操作情報を選択することができる。さらに、選択した操作情報にしたがって操作されることによって表示される画像を表示し、通信端末から送信された座標に、ポインターマークを投影することができる。
【０１３７】
＜変形例（その２）＞
無線ネットワークプロジェクタシステムの一変形例では、プロジェクターシステム５００は、プレゼンテーションを開始する際に、現在の時刻をスクリーンに投影する。通信端末は、スクリーンに投影された現在の時刻を撮影し、プロジェクターシステムと通信端末との間の時差を計算する。
【０１３８】
通信端末とプロジェクターシステムとの間で、時計がずれていると、タイムスタンプの正しい照合ができないおそれがある。通信端末は、その時差を補正したものを、プロジェクターシステムに送るタイムスタンプとして使用する。これによって、時計のずれによる問題を解決することができる。
【０１３９】
無線ネットワークプロジェクタシステムの一変形例は、図１、及び図２を適用できる。
【０１４０】
第１の通信端末１００、及び第２の通信端末２００の機能は、図４、及び図５を適用できる。ただし、第１の通信端末１００の画像処理部１５２は、撮像部１１０によって撮像された現在の時刻を画像処理し、指示時刻情報作成部１５６に入力する。指示時刻情報作成部１５６は、画像処理部１５２によって入力された現在の時刻に基づいて、第１の通信端末１００の時刻情報との間の時差をもとめ、該時差に基づいて、指示時刻情報を補正する。
【０１４１】
また、第２の通信端末２００の画像処理部２５２は、撮像部２１０によって撮像された現在の時刻を画像処理し、指示時刻情報作成部２５６に入力する。指示時刻情報作成部２５６は、画像処理部２５２によって入力された現在の時刻に基づいて、第２の通信端末２００の時刻情報との間の時差をもとめ、該時差に基づいて、指示時刻情報を補正する。
【０１４２】
上述した実施例、及び及び変形例において、サーバ６００によって実行されている動作を第１の通信端末１００、及び第２の通信端末２００によって実行させることによって、サーバ６００を備えることなく、無線ネットワークプロジェクタシステムを実現できる。
【０１４３】
上述した実施例、及び変形例において、無線ネットワークプロジェクタシステムは情報処理システムの一例であり、プロジェクタは表示装置の一例であり、サーバは情報処理装置の一例である。
【０１４４】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアでまたはそれらの組み合わせで実現されてもよい。本発明は上記実施例に限定されず、本発明の精神から逸脱することなく、様々な変形例、修正例、代替例、置換例等が包含される。
【符号の説明】
【０１４５】
１００  第１の通信端末
１０２  通信部
１０４  表示部
１０６  システム制御ユニット
１０８  記憶部
１１０  撮像部
１５２  画像処理部
１５４  指示位置情報作成部
１５６  指示時刻情報作成部
１５８  指示情報作成部
２００  第２の通信端末
２０２  通信部
２０４  表示部
２０６  システム制御ユニット
２０８  記憶部
２１０  撮像部
２５２  画像処理部
２５４  指示位置情報作成部
２５６  指示時刻情報作成部
２５８  指示情報作成部
３００  ＰＣ
３０２  ネットワークＩ／Ｆユニット
３０４  システム制御ユニット
３０６  記憶部
３０８  Ｉ／Ｆ
３５２  画像処理部
３５４  画像取得部
４００  プロジェクタ
４０２  信号処理ユニット
４０４  システム制御ユニット
４０６  光学部
４０８  ランプ
５００  プロジェクタシステム
６００  サーバ
６０２  ネットワークＩ／Ｆユニット
６０４  システム制御ユニット
６０６  記憶部
６５２  画像取得部
６５４  画像記憶処理部
６５６  指示情報取得部
６５８  対応画像取得部
６６０  指示記号合成部
【先行技術文献】
【特許文献】
【０１４６】
【特許文献１】特開２００４−３１８８２３号公報
【図１】
2016075775.tif 000003
【図２】
2016075775.tif 000004
【図３】
2016075775.tif 000005
【図４】
2016075775.tif 000006
【図５】
2016075775.tif 000007
【図６】
2016075775.tif 000008
【図７】
2016075775.tif 000009
【図８】
2016075775.tif 000010
【図９】
2016075775.tif 000011
【図１０】
2016075775.tif 000012
【図１１】
2016075775.tif 000013
【図１２】
2016075775.tif 000014
【図１３】
2016075775.tif 000015